(57)【要約】      （修正有）【課題】陰イオン性オリゴ糖類の経皮投与するイオントフォレーゼ装置を提供する。【解決手段】少なくとも部分的にイオン化された形態の、陰イオン性オリゴ糖類、特には五糖類、のような活性成分を含む電解質を収容する貯留部品１１と接触している可逆的負極、単独の正極もしくは電解質を収容する容器と組み合わされている正極，及び両電極に接続可能な電気信号発生器を具備する装置。この電気信号発生器は、前記電極６間に生じる平均電流密度が０．０５−０．２５ｍＡ／ｃｍ２であるような平均電圧を有する電気信号を前記電極６間に印加するように配置される。負極と組み合わされている貯留部品１１内の活性成分の量は、電極のｃｍ２当り及び１ｃｍ２の電極６を通過する電流のｍＡｈ当り０．５−１２ｍｇである。【選択図】図１
2006341107.tif 000002
【特許請求の範囲】
【請求項１】
陰イオン型の医薬活性成分を経皮投与するためのイオントフォレーゼ装置であって、活性電極と呼ばれる負極からなる負極組立体（該負極は、少なくとも部分的にイオン化されている形態の活性成分を保持する電解質を収容する貯留部品と接触しており、該貯留部品はそれが被験者の皮膚のある領域に接触して配置された場合に、該負極と該領域との間のイオンの導伝継続性を確実なものとするために配置されている）、（ｉ）正極単独、又は好ましくは（ｉｉ）少なくとも１種の電解質を収容する容器部品と接触している正極のいずれかからなる正極組立体（該容器部品は、それが被験者の皮膚のある部分に接触して配置された場合に、該正極と該部分との間のイオンの導伝継続性を確実なものとするために配置されている）、及び該２つの電極に接続することが可能な電気信号発生器を具備し、該貯留部品に接触している負極は少なくとも部分的にイオン化可能な金属化合物で形成され、その金属イオンは、少なくとも該装置が作動する際に、対応する金属に電気化学的に還元され得、かつ該金属と共に電気化学的に可逆の系を形成して可逆的負極を構成することが可能であり、かつ該発生器は、該電極間に発生する平均電流密度が０．０３ないし０．５ｍＡ／ｃｍ２であるような平均電圧で該電極間に電気信号を印加するために配置され、該装置は、負極に関連付けられる貯留部品内に存在する活性成分が、２ないし１２の糖類単位からなるオリゴ糖類のアルカリ金属又はアルカリ土類金属の塩で表される陰イオン性オリゴ糖類（該陰イオン性オリゴ糖類は、該単位の幾つかもしくは全てのＯＨ基が、少なくとも部分的に、−ＯＳＯ３−、−ＣＯＯ−、−ＮＨＳＯ３−、−ＮＨ−アシル、−ＯＰＯ３−−及び−ＯＴ（Ｔは炭化水素基を表す）から選択される官能基で置換され、かつイオントフォレーゼ投与に適するイオン的な性質を有する）から選択されることを特徴とし、かつ該電流密度が０．０５ｍＡ／ｃｍ２ないし０．２５ｍＡ／ｃｍ２の範囲の値を有することを特徴とし、かつ該負極に関連付けられる該貯留部品内に最初に存在する活性成分の量が電極のｃｍ２当り及び電極のｃｍ２当りの電流のｍＡｈ当り０．５ないし１２ｍｇに相当することを特徴とする装置。
【請求項２】
前記陰イオン性オリゴ糖類が全化学合成によって得られることを特徴とする請求項１に記載の装置。
【請求項３】
少なくとも部分的に負極を構成し得る金属化合物が化合物ＡｇＣｌ及びＣｕＣｌから選択されることを特徴とする請求項１又は２に記載の装置。
【請求項４】
負極の材料が支持体上にデポジットし、該支持体が絶縁体、特には、ポリプロピレン、ポリエチレン、ＰＶＣ、ポリエステルのような絶縁プラスチックからなるか、あるいは、電流が存在しない状態で活性成分を保持する電解質による腐蝕に耐性の金属性もしくは非金属性の導電性材料、例えば、銀、チタン、プラチナ、ステンレス鋼、炭素、グラファイト及び導電性ポリマーからなることを特徴とする請求項１ないし３のうちのいずれか１項に記載の装置。
【請求項５】
負極がＡｇ／ＡｇＣｌの対をベースとすることを特徴とする請求項４に記載の装置。
【請求項６】
正極が、チタン、プラチナ、ステンレス鋼のような金属もしくは金属合金からなるか、又は、炭素もしくはグラファイトのような非金属性導電性材料からなるか、あるいは、少なくとも部分的に、電気化学的な酸化によって消費され得る金属、例えば、Ａｌ、Ｃｕ、Ｍｇ、Ｚｎ及びＡｇのような金属からなり、該電気化学的な酸化によって消費され得る金属が、特には、電気化学的な酸化によって生じる金属イオンと共に電気化学的に可逆な系を形成して可逆的な正極を構成し得るものから選択されることを特徴とする請求項１ないし６のうちのいずれか１項に記載の装置。
【請求項７】
正極がＡｇ／ＡｇＣｌの対をベースとすることを特長とする請求項６に記載の装置。
【請求項８】
陰イオン性オリゴ糖類型の活性成分の所定の総量を被験者に投与するための請求項１ないし７のいずれか１項による装置であって、負極及び正極の１つ以上が、導電性支持体又は絶縁性支持体に結合する限定量の電気化学的に消費され得る材料で形成される、制限電極と呼ばれる電極を構成する様に配置され、ここで、該電気化学的に消費され得る材料は、該制限電極が負極である場合は電気化学的に還元し得る金属化合物であり、又は、該制限電極が正極である場合は電気化学的な酸化によって消費され得る金属、特にはＡｌ、Ｍｇ、Ｚｎ及びＡｇの等金属であり、かつ該導電性支持体は、電流が存在しない状態で該制限電極に関連付けられる電解質による腐蝕に耐性である材料であって、かつ該制限電極が負極である場合、該電解質の存在下において少なくともアルミニウムと等しい水素過電位を有するか、あるいは、該制限電極が正極である場合、電気化学的な酸化では消費され得ない材料で作製され、一方、該量が限定された電気化学的に消費され得る材料は、その電気化学的な消費に必要な電気量が所定の総量の活性成分を被験者に投与するのに必要な電気量に対応するように、かつ、電極間の電流の流れが該制限電極の消費可能な材料が全て消費された場合に事実上断絶する様に選択され、かつ、作動開始時に、陰イオン性オリゴ糖類型の活性成分が負極に接触する貯留部品内に被験者に投与される所定の総量を上回る量だけ存在することを特徴とする装置。
【請求項９】
電気信号発生器が、強度型信号（すなわち設定平均強度の信号）又は電位差型信号（すなわち設定平均電圧の信号）を負極と正極との間に印加し、該電気信号は、一時的な極性の反転を伴う、もしくは伴わない、連続的なものもしくはパルスであり、かつ恒久的なものもしくは断続的なものであり、並びに０ないし５００ｋＨｚ、特には０ないし１００ｋＨｚの範囲の周波数を有することを特徴とする請求項１ないし８のうちのいずれか１項に記載の装置。
【請求項１０】
前記電気信号が、０．０５ないし０．９５、特には０．１ないし０．８の範囲の衝撃係数（すなわち、その繰り返しがパルス型信号を形成するパルス要素の持続期間とこのパルスの２つの連続する出現を分離する間隔期間との間の割合）を有するパルス型信号であることを特徴とする請求項９に記載の装置。
【請求項１１】
負極と正極との間に印加される信号が、該電極間に生じる平均電流密度が０．０５ないし０．２５ｍＡ／ｃｍ２、特には０．０５ないし０．２ｍＡ／ｃｍ２の値を有するように、０．１ないし５０ボルト、特には０．５ないし２０ボルトの間で選択される平均電圧を有することを特徴とする請求項９又は１０に記載の装置。
【請求項１２】
陰イオン性オリゴ糖類型の活性成分を保持する水性媒体及び／又は他の電解質を構成する水性媒体が、該活性成分の経皮通過を促進し得る物質、例えば、血管拡張物質及び／又は、特にはアルコール型もしくはエステル型の化合物のような、両親媒性物質を保持することを特徴とする請求項１ないし１１のうちのいずれか１項に記載の装置。
【請求項１３】
負極に関連付けられる貯留部品内に存在する陰イオン性オリゴ糖類型の活性成分が３ないし８の糖類単位からなるオリゴ糖類のアルカリ金属又はアルカリ土類金属の塩、特にはナトリウム、カリウム又はカルシウム塩から選択され、ここで、該オリゴ糖類の幾つかもしくは全ての単位のＯＨ基は、少なくとも部分的に、−ＯＳＯ３−、−ＣＯＯ−、−ＮＨＳＯ３−、−ＮＨ−アシル、−ＯＰＯ３−−、−ＯＴ（Ｔは炭化水素基、特には脂肪族もしくは芳香族炭化水素基を表し、−ＯＴは特にはアルコキシ基である）のような官能基よって置換され、かつ該オリゴ糖類はイオントフォレーゼ投与に適するイオン性を有し、該オリゴ糖類は、特には、全化学合成によって得られる陰イオン性オリゴ糖類であることを特徴とする請求項１ないし１２のうちのいずれか１項に記載の装置。
【請求項１４】
陰イオン性オリゴ糖類が三、四、五又は六糖類、特には、五糖類であることを特徴とする請求項１３に記載の装置。
【請求項１５】
陰イオン性オリゴ糖類が交互のウロン酸及びグルコサミン単位、又は交互のウロン酸及びグルコース単位、あるいは、交互のウロン酸及びガラクトサミン単位からなることを特徴とする請求項１ないし１４のうちのいずれか１項に記載の装置。
【請求項１６】
陰イオン性オリゴ糖類が下記式（ＩＩ）の五糖類であることを特徴とする請求項１４に記載の装置：
【化１】
2006341107.tif 000009
（ここで、Ｒは−ＳＯ３−又はアシル基、特にはアセチル基であり、Ｒ１及びＲ２は同一であるか異なっており、Ｈ又は−ＳＯ３を示し、かつＲ３は低級アルキル基、特にはＣＨ３を表す）
【請求項１７】
負極に関連付けられる貯留部品内に最初に存在する活性成分の量が、電極のｃｍ２当り及び電極のｃｍ２当りの電流のｍＡｈ当り１ｍｇないし８ｍｇに相当することを特徴とする請求項１ないし１６のうちのいずれか１項に記載の装置。
【請求項１８】
正極が可逆的負極と同じ種類の可逆的電極であり、負極に関連付けられる貯留部品及び正極に関連付けられる容器部品の各々が最初に、電極のｃｍ２当り及び電極のｃｍ２当りの電流のｍＡｈ当り０．５ｍｇないし６ｍｇ、好ましくは０．５ｍｇないし４ｍｇに相当する量の陰イオン性オリゴ糖類型の活性成分を保持し、かつ電気信号発生器が、活性成分を前記貯留部品及び前記容器部品から交互に投与するために前記電極に印加される電気信号の極性を反転するように配置されることを特徴とする請求項１ないし１６のうちのいずれか１項に記載の装置。
【発明の詳細な説明】
【技術分野】
【０００１】
本発明は、陰イオン性オリゴ糖類型医薬活性成分、特には、とりわけ抗血栓及び／又は抗凝血活性を有する合成陰イオン性オリゴ糖類の経皮投与のためのイオントフォレーゼ装置に関する。
【０００２】
血液凝固はその複雑さで有名な生理学的現象である。接触活性化及び組織因子のような特定の刺激は、血漿中に存在する一連の凝血因子の連続的な活性化の引き金となる。
【０００３】
刺激の性質とは関わりなく、その最終工程は同一である。すなわち、活性化されたＸ（Ｘａ）因子がＩＩ因子（プロトロンビンとも呼ばれる）を活性化し、このＩＩ因子は、その活性化された形態（ＩＩａ因子、トロンビンとも呼ばれる）で、可溶性線維素原の部分的なタンパク分解を引き起こして血餅の主要構成要素である不溶性線維素を放出させる。
【０００４】
正常な生理状態の下では、凝血因子の活性は、同じく血漿中に存在する抗トロンビンＩＩＩ（ＡＴ  ＩＩＩ）及びヘパリン補因子ＩＩ（ＨＣ  ＩＩ）のようなタンパク質によって制御される。ＡＴ  ＩＩＩは、多数の凝血因子、特にはＸａ及びＩＩａ因子に対する阻害活性を発揮する。
【０００５】
したがって、Ｘａ因子及びＩＩａ因子が、引き金となる刺激とは無関係の凝血の最後の２つの工程に関与するため、これら２つの因子の阻害が抗凝血及び抗血栓活性を得る優先的な方法である。
【０００６】
下記式（Ｉ）
【０００７】
【化２】
2006341107.tif 000003
（ここで、Ｒは−ＣＯＣＨ３又は−ＳＯ３−を表す）
の五糖類はＡＴ  ＩＩＩへの結合に適する構造を有する。この化合物（Ｒ＝−ＳＯ３−）は、約１０年前に全化学合成により得られた（Ｐ．Ｓｉｎａｙ  ｅｔ  ａｌ．，Ｃａｒｂｏｈｙｄｒａｔｅ  Ｒｅｓｅａｒｃｈ  （１９８４），１３２  Ｃ５）。
【０００８】
それ以来、全化学合成により得られ、かつ抗血栓及び抗凝血活性を有する多くの合成陰イオン性オリゴ糖類が文献に記述されている（例えば、ＥＰ−Ａ−０，０８４，９９９、ＥＰ−Ａ−０，１１３，５９９、ＥＰ−Ａ−０，１６５，１３４、ＥＰ−Ａ−０，３０１，６１８、ＥＰ−Ａ−０，４５４，２２０及びＥＰ−Ａ−０，５２９，７１５を参照のこと）。
【０００９】
この型のオリゴ糖類が有し得る抗凝血及び抗血栓活性は、それらをヒトの治療における活性成分として有用なものにする。
【００１０】
不幸なことに、それらがかなり大きな分子量、強い陰イオン性電荷及び親水性を有し、胃腸管バリアを通過することが不可能であるため、それらを経口投与することができず、それらは本質的に非経口的に、例えば皮下もしくは静脈内に、投与される。
【００１１】
そのような場合、化合物が胃腸管を通過する必要がないことから、非経口投与に代わる可能性のあるものでは経皮投与あることが知られている。しかしながら、前述の型のオリゴ糖類は、全身濃度が有効治療値に到達するに十分な速さでは皮膚に浸透しないことが観察されている。
【００１２】
イオントフォレーゼは特定の活性成分の被験者への経皮投与を可能にすることが知られており、これらの活性成分は、一般に、低分子量及びイオン性を有する化合物からなる。
【００１３】
これを行うには、少なくとも部分的にイオン化された形態の活性成分を保持する水溶液もしくは水性ゲルを用いて操作を行い、一方では、活性電極と呼ばれる第１の電極（該第１の電極は、投与しようとする活性成分のイオンと同じ極性を有し、かつ、その活性成分を保持して被験者の皮膚の第１の領域に接触して配置される貯留部品に接触して配置される）と、他方では、バック電極もしくは受動電極と呼ばれる第２の電極（該第２の電極は、活性成分に関連するものと反対の極性を有し、かつ、前記第１の領域とは異なる被験者の皮膚の第２の領域と直接もしくは無関係（indifferent）電解質を介して接触して配置される）との間に電気信号を印加する。この電極間への電気信号の印加によって生じる電流がこのように形成された回路を流れると、活性成分のイオンが、同じ極性を有する電極（活性電極）を離れ、被験者の皮膚及び組織を通過して、反対の極性の電極（バック電極）に向けて移動し、被験者の循環系に入り込む。
【００１４】
イオントフォレーゼにおいて通常用いられる再利用可能な電極、例えば、炭素、プラチナもしくはチタン電極を使用するイオントフォレーゼ法を用いて、陰イオン性のオリゴ糖類型誘導体の経皮通過の可能性を研究することにより、出願人の企業は、前記誘導体について得られる経皮流動が、治療的な投与のために達成されるべきである流動よりもかなり少なかったことを観察している。
【００１５】
参考文献ＥＰ−Ａ−０，５５６，１１２は、特には陰イオン型の、医薬活性成分の経皮投与のためのイオントフォレーゼ装置に関するものであり、この装置は負極（又は陰電極：negative electrode）組立体（assembly）、正極（又は陽電極：positeve electrode）組立体及びこの２つの電極に接続することが可能な電気信号発生器を具備する。前記負極組立体は活性電極と呼ばれる負極からなり、少なくとも部分的にイオン化された形態の活性成分を保持する電解質を含有する貯留部品（reservoir element）に接触している。この貯留部品は、それが被験者の皮膚のある領域に接触して配置された場合に、前記負極と前記領域との間のイオンの導伝継続性を確実なものとするために配置されている。前記正極組立体は、（ｉ）正極単独、又は好ましくは（ｉｉ）少なくとも１種の電解質を収容する容器部品（receptacle element）と接触する正極のいずれかからなり、この容器部品は、それが被験者の皮膚のある部分に接触して配置された場合に、前記正極と前記部分との間のイオンの導伝継続性を確実なものとするために配置されている。貯留部品に接触している負極は少なくとも部分的にイオン化可能な金属化合物で形成され、その金属イオンは、少なくともこの装置が作動する際に、対応する金属に電気化学的に還元され、かつその金属と共に電気化学的に可逆の系を形成して可逆的負極を構成することが可能である。前記発生器は、前記電極間に０．０３ないし０．５ｍＡ／ｃｍ２の平均電流密度が発生するような平均電圧で前記電極間に電気信号を印加するために配置される。
【００１６】
陰イオン型の活性成分を用いての参考文献ＥＰ−Ａ−０，５５６，１１２のイオントフォレーゼ装置の実施は、本質的に、適度な分子量を有する生成物、すなわちナトリウムバルプロエート（sodium valproate）を、５重量％ないし１５重量％の範囲の濃度、すなわち０．３モル濃度ないし０．９モル濃度で使用することにより説明されている。この濃度は、電極のｃｍ２当り及び電極のｃｍ２当りの電流のｍＡｈ当り５０ｍｇを超えることを表す。
【００１７】
活性成分の分子量が増大する場合、活性成分のイオンの拡散及び移送数が、競合イオン、特にＡｇＣｌをベースとする負極（カソード）で生成するＣｌ−イオンの拡散及び移送数と比較して減少することが知られている。皮膚が耐え得る電流密度で電極の単位表面積当りの活性成分の有意の通過を得ることが望ましい場合、活性成分の濃度を、したがって電極の貯留器中の活性成分の総量を増加させる必要があるが、これには、初期量の９９％を上回ることがあり得る量の活性成分が消費されずに貯留器中に残るという欠点がある。さらに、あらゆるイオントフォレーゼの過程に生じる電気浸透の現象によって皮膚を通る水の流れを生じる。この水の流れは、正極から負極に循環し、かつ陰イオン性活性成分のイオンの移動を、このイオンの大きさの増加に伴って、すなわち、活性成分の分子量の増加に伴って、より強く相殺する。
【００１８】
したがって、陰イオン性活性成分の許容可能なイオントフォレーゼによる経皮流動の必要と負極に関連付けられている貯留器中に最初に存在する活性成分の十分量の使用とを調和させながら、参考文献ＥＰ−Ａ−０，５５６，１１２に記述されるイオントフォレーゼ装置を用いてバルプロエート型の生成物よりも実質的に大きな分子量を有する陰イオン性活性成分を経皮投与することは明らかに不可能だった。
【００１９】
出願人の企業は、可逆的負極を備える、参考文献ＥＰ−Ａ−０，５５６，１１２に記述されるものに匹敵する型のイオントフォレーゼ装置を利用して陰イオン性オリゴ糖類型誘導体の経皮投与を実施することが、電極間に生じる平均電流密度が０．０５ないし０．２５ｍＡ／ｃｍ２の範囲の値であるような平均電圧でこれらの電極間に電気信号を印加し、かつ前記オリゴ糖類活性成分が負極に関連付けられる貯留部品内に参考文献ＥＰ−Ａ−０，５５６，１１２でバルプロエート型の陰イオン性活性成分について教示されるものよりも実質的に少ない量で最初に存在する場合に、治療処置に適合する値の血漿濃度に到達するイオントフォレーゼによる経皮流動を得、かつ十分量の活性成分を同時に用いながら可能であったことを示している。
【００２０】
本発明によるイオントフォレーゼ装置は、活性電極と呼ばれる負極からなる負極組立体（該負極は、少なくとも部分的にイオン化されている形態の活性成分を保持する電解質を含む貯留部品と接触しており、該貯留部品はそれが被験者の皮膚のあある領域に接触して配置された場合に、該負極と該領域との間のイオンの導伝継続性を確実なものとするために配置されている）、（ｉ）正極単独、又は好ましくは（ｉｉ）少なくとも１種の電解質を収容する容器部品と接触している正極のいずれかからなる正極組立体（該容器部品は、それが被験者の皮膚のある部分に接触して配置された場合に、該正極と該部分との間のイオンの導伝継続性を確実なものとするために配置されている）、及び該２つの電極に接続することが可能な電気信号発生器を具備し、該貯留部品に接触している負極は少なくとも部分的にイオン化可能な金属化合物で形成され、その金属イオンは、少なくともこの装置が作動する際に、対応する金属に電気化学的に還元され得、かつ該金属と共に電気化学的に可逆の系を形成して可逆的負極を構成することが可能であり、かつ該発生器は、該電極間に生じる平均電流密度が０．０３ないし０．５ｍＡ／ｃｍ２であるような平均電圧で該電極間に電気信号を印加するために配置され、該装置は、負極に関連付けられる貯留部品内に存在する活性成分が、２ないし１２の糖類単位からなるオリゴ糖類のアルカリ金属又はアルカリ土類金属の塩で表される陰イオン性オリゴ糖類（該陰イオン性オリゴ糖類は、該単位の幾つかもしくは全てのＯＨ基が、少なくとも部分的に、−ＯＳＯ３−、−ＣＯＯ−、−ＮＨＳＯ３−、−ＮＨ−アシル、−ＯＰＯ３−−及び−ＯＴ（Ｔが炭化水素基を表す）から選択される官能基で置換され、かつイオントフォレーゼ投与に適するイオン的な性質を有する）から選択されることを特徴とし、かつ該電流密度が０．０５ｍＡ／ｃｍ２ないし０．２５ｍＡ／ｃｍ２の範囲の値を有することを特徴とし、かつ該負極に関連付けられる該貯留部品内に最初に存在する活性成分の量が電極のｃｍ２当り及び電極のｃｍ２当りの電流のｍＡｈ当り０．５ないし１２ｍｇに相当することを特徴とする。
【００２１】
少なくとも部分的に負極を構成し得る金属化合物の中で、化合物ＡｇＣｌ及びＣｕＣｌに非限定的に言及することができる。
【００２２】
特には、負極は、金属化合物をこれに対応する金属と組み合わせることによって形成することができる。
【００２３】
負極の材料は支持体にデポジットさせることが可能であり、この支持体は絶縁体、特にはポリプロピレン、ポリエチレン、ＰＶＣ、ポリエステルのような絶縁プラスチック又は電流が存在しない状態で活性成分を保持する電解質による腐蝕に耐性の金属性もしくは非金属性の導電性材料、例えば、銀、チタン、プラチナ、ステンレス鋼、炭素、グラファイト及び導電性ポリマーで構成することができる。
【００２４】
本発明の方法において用いられる正極は、チタン、プラチナ、ステンレス鋼のような金属もしくは金属合金、又はその代わりに、炭素、グラファイト及び導電性ポリマーのような非金属性導電性材料で作製することが可能である。正極を、少なくとも部分的に、電気化学的な酸化によって消費され得る金属、例えば、Ａｌ、Ｃｕ、Ｍｇ、Ｚｎ及びＡｇのような金属で形成することもできる。この場合、電気化学的な酸化によって消費され得る前記金属は、特には、電気化学的な酸化によって生じる金属イオンと共に電気化学的に可逆な系を形成し、装置の作動中可逆的である正極を構成し得る、銀のような金属から選択することができる。電気化学的な酸化によって消費され得る正極の材料は、絶縁体、特にはポリプロピレン、ポリエチレン、ＰＶＣ、ポリエステルのような絶縁プラスチック、又はその代わりに、金属性もしくは非金属性の導電性材料、例えば、チタン、プラチナ、ステンレス鋼、炭素、グラファイト及び導電性ポリマーからなる支持体にデポジットさせることが可能である。
【００２５】
負極及び／又は正極は、ポリマーバインダー、粉末状もしくは繊維状導電性充填材、特にはカーボンブロックもしくは短グラファイト線維、並びに分割形態の、すなわち、負極の場合には単独もしくは対応する金属と組み合わせられている電気化学的に還元可能な金属化合物、正極の場合には電極を構成するように選択される金属もしくは金属合金である、電極の活性材料をベースとする組成で形成される複合電極を構成するように配置することができる。このポリマーバインダーは、好ましくは、ＥＬＦ  ＡＱＵＩＴＡＩＮＥ及びＳＡＮＯＦＩによって１９９４年７月２６日に出願されたフランス特許出願９４  ０９２３１号に記述される、１，２−エポキシプロパン及び／又は１，２−エポキシブタンをベースとするポリマーである。
【００２６】
陰イオン性オリゴ糖類型の活性成分の所定の総量を被験者に経皮投与することを可能にする本発明によるイオントフォレーゼ装置の別の態様によると、導電性支持体又は絶縁性支持体に結合する限定された量の電気化学的に消費され得る材料で形成される、制限電極と呼ばれる電極（ここで、該電気化学的に消費され得る材料は、該制限電極が負極である場合、電気化学的に還元し得る金属化合物であり、又は、該制限電極が正極である場合、電気化学的な酸化によって消費され得る金属、特にはＡｌ、Ｍｇ、Ｚｎ及びＡｇのような金属であり、かつ該導電性支持体は、電流が存在しない状態で該制限電極に関連付けられる電解質による腐蝕に耐性である材料であって、かつ該制限電極が負極である場合、該電解質の存在下において少なくともアルミニウムと等しい水素過電位を有するか、あるいは、該制限電極が正極である場合、電気化学的な酸化では消費され得ない材料で作製される）が構成されるように負極及び正極の１方又は他方が配置される。一方、該限定された量の電気化学的に消費され得る材料が、その電気化学的な消費に必要な電気量が所定の総量の活性成分を被験者に投与するのに必要な電気量に対応するように選択され、電極間の電流の流れが該制限電極の消費可能な材料が消費された場合に事実上断絶し、かつ陰イオン性オリゴ糖類型の活性成分が負極に接触する貯留部品内に被験者に投与される所定の総量を上回る量だけ最初に存在するようになされる。
【００２７】
制限電極に特に適する絶縁支持体の１つは、ポリプロピレン、ＰＶＣ、ポリエチレン又はポリエステルのような絶縁プラスチックで作製される支持体である。
【００２８】
制限負極の導電性支持体として、アルミニウム、銀、チタン、タンタル、バナジウム、ステンレス鋼、亜鉛、炭素、グラファイト及び導電性ポリマーから選択される材料で作製される支持体を有利に選択することができる。例として、制限正極に適切な支持体は、プラチナ、チタン、ステンレス鋼、金、炭素、グラファイト及び導電性ポリマーから選択される材料で作製される支持体である。
【００２９】
負極もしくは正極の金属性導電性支持体はバルクの支持体であっても、絶縁プラスチックフィルムにデポジットした非常に薄い金属からなるものであってもよい。これらの金属デポジットは、例えば、真空メタライジング又は陰極スパッタリング法のような公知の技術によって生成させることができる。
【００３０】
本発明による装置において非制限もしくは制限負極として用いることができる電極の限定されない例として、銀、銅、ステンレス鋼、炭素、ポリプロピレン、ポリエチレン又は導電性ポリマー支持体上のＡｇＣｌもしくはＣｕＣｌをベースとする電極に言及することができる。本発明による装置において用いることができる非制限もしくは制限消費可能正極の例として、Ａｌ、Ａｇ、Ｃｕ、Ｍｇ及びＺｎから選択される電気化学的な酸化によって消費され得る金属をベースとする非制限電極、及びポリプロピレンもしくはポリエステルのような絶縁支持体又はチタン、ステンレス鋼、プラチナ、炭素、グラファイト及び導電性ポリマーから選択される支持体上にデポジットするこの型の金属をベースとする制限電極に非限定的に言及することができる。
【００３１】
上に示されるように、制限電極の電気化学的に消費され得る材料は、この電極中に、その電気化学的な消費に必要な電気量が所定の総量の陰イオン性オリゴ糖類型の活性成分を被験者に投与するのに用いられる電気量に対応するような量だけ存在する。この後者の電気量は用いられるイオントフォレーゼシステムに依存し、すなわち、可逆的な負極及び正極に接触する反応媒体、電極に印加される電気信号並びにその電極の性質に依存するものであり、用いられるイオントフォレーゼシステムの各々の型に対する従来の試験によって決定される。
【００３２】
電気発生器は、負極（活性電極）と正極（バック電極）との間に、強度型（intensiometric signal）信号、すなわち設定平均強度、例えば定常（強度不変信号（intensiostatic signal））の信号、又は、好ましくは、電位差型（potentiometric）信号、すなわち設定平均電圧、例えば定常（電位差不変信号（potentiostatic signal））の信号のいずれであってもよい電気信号を印加する。この強度型もしくは電位差型の電気信号は、連続するものであってもパルスであってもよく、かつ恒久的なものであっても断続的なものであってもよく、一時的な極性の反転を伴っても伴わなくてもよい。その周波数は０ないし５００ｋＨｚ、特には０ないし１００ｋＨｚを範囲をとり得る。電気信号がパルス型である場合には、０．０５ないし０．９５、特には０．１ないし０．８の範囲の衝撃係数、すなわち、その繰り返しがパルス型信号を形成するパルス要素の持続期間とこのパルスの２つの連続する出現を分離する間隔期間との間の割合を有し得る。
【００３３】
負極と正極との間に発生器によって印加される信号の平均電圧は、これらの電極間に発生する平均電流密度が０．０５ないし０．２５ｍＡ／ｃｍ２、好ましくは０．０５ないし０．２ｍＡ／ｃｍ２の値を有するように、０．１ないし５０ボルト、特には０．３ないし２０ボルトの間で選択することが有利である。
【００３４】
本発明による装置の電気信号発生器は、一時的な極性の反転を伴う、もしくは伴わない、連続もしくはパルス型の、かつ恒久的もしくは断続的な、上に定義される特性を有する、設定平均強度もしくは設定平均電圧の電気信号を発生させることが可能な公知の型のいかなるものであってもよい。
【００３５】
負極に接触する貯留部品内に存在する電解質は水溶液又は水性ゲルを有利に含み、粘着性であってもなくてもよく、少なくとも部分的にイオン化されたナトリウムもしくはカリウムのようなアルカリ金属の塩又はカルシウムのようなアルカリ土類金属の塩の形態の投与しようとする陰イオン性オリゴ糖類型の活性成分を保持する。同様に、任意に正極と接触している電解質は、少なくとも部分的に、粘着性であってもなくてもよい水溶液又は水性ゲルの形態にある。これらの水溶液又は水性ゲルは、問題の貯留部品内に存在する電解質の全てを構成してもよく、あるいはこの電解質の一部のみを形成してもよい。この場合、それらは、電極と皮膚との間のイオンの導伝継続性を断絶せず、かつ電極と皮膚との間の接着性の質を向上させるように選択される、その電解質の残部を形成する非水性媒体中に分散させる。これらの水溶液又は水性ゲルは、イオントフォレーゼ技術においてよく知られる通りに得ることができる。水性ゲル又は濃水溶液の例は、特には、それぞれＵＳ−Ａ−４，７６６，１６４及びＵＳ−Ａ−３，１６３，１６６に記述されている。
【００３６】
陰イオン性オリゴ糖類型の活性成分を保持する水性媒体は、正極に関連付けられる電解質が用いられる場合にはこの電解質を構成する水性媒体と同様に、必要であれば、活性成分の経皮通過を促進することが可能な薬剤、例えば血管拡張性物質及び／又は両親媒性物質を保持してもよい。両親媒性物質の言及し得る非限定的な例は、アルコール型又はエステル型の化合物である。これらの物質は、媒体中の活性成分の良好な溶解性を可能にする濃度で用いられる。
【００３７】
上に示されるように、負極に関連付けられる貯留部品内に最初に存在する陰イオン性オリゴ糖類型の活性成分の量は、前記電極のｃｍ２当り及びこの電極のｃｍ２当りの電流のｍＡｈ当り０．５ｍｇないし１２ｍｇ、好ましくは１ｍｇないし８ｍｇである。
【００３８】
投与しようとする活性成分は、負極に関連付けられる貯留部品内だけではなく、正極に関連付けられる容器部品内にも導入することができる。この場合、このイオントフォレーゼ装置の負極及び正極は、還元及びイオン化可能な金属化合物及びそれに対応する金属をベースとする可逆的電極、例えば、Ａｇ／ＡｇＣｌの対をベースとする可逆的電極からなる。これらの電極に印加する電気信号の極性を反転させることにより、負極の貯留部品及び正極の容器部品から交互に活性成分を投与することが可能になる。
【００３９】
この場合、電極の各々に関連付けられる貯留容器部品内に最初に存在する陰イオン性オリゴ糖類型の活性成分の量は、電極のｃｍ２当り及び電極のｃｍ２当りの電流のｍＡｈ当り０．５ｍｇないし６ｍｇ、好ましくは０．５ｍｇないし４ｍｇである。
【００４０】
本発明が関与する陰イオン性オリゴ糖類は、２ないし１２の単位、特には３ないし８の糖類単位からなる化合物のアルカリ金属又はアルカリ土類金属塩、特にはナトリウム、カリウム又はカルシウム塩からなる。この陰イオン性オリゴ糖類の幾つかもしくは全ての単位のＯＨ基は、少なくとも部分的に、−ＯＳＯ３−、−ＣＯＯ−、−ＮＨＳＯ３−、−ＮＨ−アシル、−ＯＰＯ３−−、−ＯＴ（ここでＴは、炭化水素基、特には脂肪族もしくは芳香族炭化水素基を表す、特には、−ＯＴはアルコキシ官能基である）ような官能基よって置換されている。この陰イオン性オリゴ糖類は、イオントフォレーゼ投与に適するイオン性を有する。このオリゴ糖類は、特には、全化学合成によって得られる陰イオン性オリゴ糖類である。
【００４１】
特には、このオリゴ糖類は、
−  ２ないし１２個の交互のウロン酸（グルクロン酸もしくはイズロン酸）及びグルコサミン単糖類単位からなり、かつ、ＯＨ基の他に、−ＳＯ３−、−ＮＨＳＯ３−及び−Ｎ−アシル官能基、特には−Ｎ−アセチル官能基、及び特定の場合には、アルコキシ基、特にはメトキシ基をアノマーＯＨ基の代わりとして含む、参考文献ＥＰ−Ａ−０，０８４，９９９に記述される合成オリゴ糖類（この型のオリゴ糖類の例は、上記式（Ｉ）で表される化合物を含む、抗血栓及び／又は抗凝血特性を有する五糖類である）；
−  ウロン酸及びグルコサミン単糖類単位からなり、かつ−ＳＯ３−及び−Ｏ−ＰＯ３−−官能基を含む、参考文献ＥＰ−Ａ−０，１６５，１３４に記述される、抗血栓活性を有する合成オリゴ糖類；
−  ウロン酸単位及びグルコサミン単位からなり、このグルコサミン構造単位の３位に−ＯＳＯ３−基を有する、参考文献ＥＰ−Ａ−０，３０１，６１８に記述される、抗血栓及び／又は抗凝血特性を有する五糖類；
−  ウロン酸及び、特定の三糖類鎖配列を有しかつＯ−アルキルもしくは−Ｏ−ＳＯ３−官能基を含むグルコースの誘導体である、参考文献ＥＰ−Ａ−０，４５４，２２０に記述されている抗血栓及び／又は抗凝血特性を有する合成オリゴ糖類；
−  −ＮＨＳＯ３−、Ｎ−アセテート又はＯＨ官能基がアルコキシ、アリールオキシ、アラルキルオキシ又は−Ｏ−ＳＯ３−基で置換されている、参考文献ＥＰ−Ａ−０，５２９，７１５に記述される、抗血栓特性及び平滑筋細胞の増殖に対する阻害活性を有する合成硫酸化グリコサミノグリカン誘導体；
−  ウロン酸単位及びグルコサミン単位からなり、かつこのグルコサミン単位の−ＮＨＳＯ３−、Ｎ−アセテート官能基、及び任意に、ウロン酸及びグルコサミン単位のＯＨ基がアルコキシ又は−Ｏ−ＳＯ３−基で置換されている、ＥＬＦ  ＳＡＮＯＦＩ及びＡＫＺＯによって１９９３年４月２２日に出願されたフランス特許出願９３  ０４７６９号に記述される、抗血栓活性を有する合成３−デオキシヘパリン誘導体；
−  ウロン酸（グルクロン酸もしくはイズロン酸）及びＤ−ガラクトサミン単糖類単位からなる、参考文献ＥＰ−Ａ−０，１１３，５９９に記述される合成オリゴ糖類；
から選択することができる。
【００４２】
本発明に従って用いられる陰イオン性オリゴ糖類は、特には三、四、五もしくは六糖類であり、より特別には五糖類、特には下記式（ＩＩ）の五糖類である：
【００４３】
【化３】
2006341107.tif 000004
（ここで、Ｒは−ＳＯ３−又はアシル基、特にはアセチル基であり、Ｒ１及びＲ２は同一であるか異なっており、Ｈ又は−ＳＯ３を示し、かつＲ３はＨ又は低級アルキル基、特には−ＣＨ３を表す）。
【００４４】
本発明による装置は、（ｉ）その負極が可逆的負極であり、正極が通常の正極又は非可逆的もしくは可逆的の消費可能な正極のいずれかであり、かつ負極に関連付けられる貯留部品が少なくとも部分的にイオン化された形態の陰イオン性オリゴ糖類型の活性成分を保持し、（ｉｉ）その電気信号発生器が、電極間に生じる平均電流密度が０．０５ないし０．２５ｍＡ／ｃｍ２、好ましくは０．０５ないし０．２ｍＡ／ｃｍ２であるような平均電圧を有する電気信号を電極間に印加するために配置され、かつ（ｉｉｉ）負極に関連付けられる貯留部品内又は負極もしくは正極に関連付けられる貯留部品もしくは容器部品内に最初に存在する陰イオン性オリゴ糖類型の活性成分の量が上記に示される値であるように変更されている、あらゆる公知のイオントフォレーゼ装置から作製することができる。
【００４５】
適当であるならば、負極又は正極は、制限電極を構成するように上記に示されるように配置することができる。
【００４６】
特には、本発明による装置は、各々５０ｃｍ２未満、特には１ないし３０ｃｍ２の面積を有する電極及び小型化された電気信号発生器を具備する、ブレスレットによって固定され、あるいはおそらく皮膚に固着される携帯可能な自給式装置であってもよい。したがって、本発明による自給式携帯型装置は、装置の負極が可逆的負極であり、かつ電気信号発生器及び各電極に関連付けられる貯留容器部品が上記に示されるように配置されるという条件付きで、例えば参考文献ＵＳ−Ａ−４，３２５，３６７、ＥＰ−Ａ−０，０６０，４５２及びＦＲ−Ａ−２，５０９，１８２に記述される自給式携帯型イオントフォレーゼ装置に類似する構造を有し得る。
【００４７】
負極は、例えば、銀、銅、炭素、ポリプロピレン、ポリエチレン又は導電性ポリマー支持体上のＡｇＣｌ又はＣｕＣｌをベースとする電極であってよい。正極は、通常の正極、例えば、チタン、プラチナ、ステンレス鋼のような金属もしくは金属合金で、又はその代わりに、炭素もしくはグラファイトのような非金属性の導電性材料で作製される電極であっても、あるいはその代わりに、非可逆的もしくは可逆的な消費可能な正極、例えば、ポリプロピレンもしくはポリエステルのような絶縁支持体上又はチタン、ステンレス鋼、プラチナ、炭素、グラファイト及び導電性ポリマーから選択される支持体上に任意にデポジットする、Ａｌ、Ｃｕ、Ｍｇ、Ｚｎ及びＡｇのような金属で作製される電極であってもよい。負極及び陽極の一方及び／又は他方を、制限電極を構成するために上記に示されるように配置することができるこの負極及び正極は、各々、５０ｃｍ２未満、特には１ないし３０ｃｍ２の面積を有する。
【００４８】
負極組立体及び正極組立体を接着剤で皮膚に固定する場合、各電極組立体の貯留容器部品における皮膚と接触させることが意図されている面又は該面を取り巻く領域に、イオン導電性接着剤層を提供することにより行うことができる。
【００４９】
Ａｇ／ＡｇＣｌの対をベースとする少なくとも１つの負極を備え、好ましくはこのＡｇ／ＡｇＣｌの対をベースとする負極及び正極を有する場合には、本発明によるイオントフォレーゼ装置は、ＥＬＦ  ＡＱＵＩＴＡＩＮＥ及びＳＡＮＯＦＩによって１９９４年９月２日に出願されたフランス特許出願９４        １０５４１号に記述されるような、活性成分の経皮投与の進行の程度を監視するための組立体（assembly）をさらに具備していてもよい。
【００５０】
以下、本発明を実施例により説明するが、これに限定されるものではない。
【実施例１】
【００５１】
定電圧のイオントフォレーゼによるナトリウムペンタサッカライド塩の経皮通過の研究。
【００５２】
使用したペンタサッカライドは、Ｒが−ＳＯ３−である前述化学式（１）に相当するものである。
【００５３】
操作は同一構造のイオントフォレーゼセルの中で行った。各イオントフォレーゼセルは断面積が２ｃｍ２である同軸上に並んだ、すなわち、ドナーコンパートメント、レシーバーコンパートメント、バック電極コンパートメントの順で配置された３つの隣接するシリンダー型のコンパートメントから成っており、それぞれのコンパートメントは、経皮拡散を調べるための膜として用いるヌ−ドラット（ＯＦＡ／ｈｒ／ｈｒ）の皮膚片により、次のコンパートメントとは漏出のない形で仕切られた。ドナーコンパートメントの容積は０．５ｍｌであり、０．６５「ゴ−ルドスタンダ−ド（Golden standard）」単位／μｇの抗Ｘａ因子活性を有する前述のペンタサッカライドのナトリウム塩の２重量％水溶液が入っており、ペンタサッカライドの量は電極の活性表面２ｃｍ２当たり１０ｍｇであった。レシーバーコンパートメントは容量が１０ｍｌであり、５００ｐｐｍのＮａＮ３が補充された生理食塩水溶液が入っており、マグネティックバ−で攪拌された。バック電極コンパートメントはドナーコンパートメントと同一であり、５００重量ｐｐｍのＮａＮ３を含む２重量％の塩化ナトリウム水溶液を０．５ｍｌ入れた。レシーバーコンパートメントと反対側の端で、ドナーコンパートメントに負電極が装着された。ドナーコンパートメントと同様に、バック電極コンパートメントにも陽電極（バック電極）が装着された。
【００５４】
ラットの皮膚サンプルは皮下組織を除去し、５００ｐｐｍのＮａＮ３を加えた生理食塩水溶液に１５分間置いてから、真皮側をレシーバーコンパートメントに向けてイオントフォレーゼセル内に取り付けるまで、−４０℃で凍結し保存した。
【００５５】
実施した各試験は、４つの同一のイオントフォレーゼセルで同時に開始した。それぞれの皮膚に対して活性交換表面積（active exchange surface area）は２ｃｍ２であった。
【００５６】
パルス型電流発電器を用いることで、平行に設置した４つのセルの電極間にピ−ク電圧が２．２ボルト、衝撃係数５０％（即ち、平均電圧１．１ボルト）、周波数２５ｋＨｚの電位差不変型の電気信号を作り出すことができた。
【００５７】
各セルのドナーコンパートメントの電極を該発電器の陰極に、バック電極を陽極に接続し、発電器により発生したパルス型電流を６時間通電した。
【００５８】
上記時間の終了時点で、レシーバーコンパートメントに含まれる媒質のアリコートを取り出し、各セルのドナーおよびレシーバーコンパートメントを分けている皮膚を通過したペンタサッカライドの量をアッセイにより測定した。第２回目のサンプルを、各実験開始２４時間後、即ち電気信号を停止してから１８時間後に採取した。
【００５９】
１ａから１ｅまでの５種類の試験を以下の通り行った。
【００６０】
・試験１ａ：陰電極と陽電極は厚さ１０μｍのチタンフィルムから構成される。受動的経皮拡散を測定するために、両電極には電圧をかけなかった。
【００６１】
・試験１ｂ：陰電極と陽電極は厚さ６０μｍのグラファイトシ−トから構成される。
【００６２】
・試験１ｃ：陰電極と陽電極は厚さ１０μｍのチタンフィルムから構成される。
【００６３】
・試験１ｄと１ｅ：陰電極は厚さ１５μｍの銀フィルムから構成され、１．８ｍＡｈ／ｃｍ２に相当する塩化銀層を保有するためにあらかじめその１つの面を塩化物化処理してあり、一方陽電極は厚さ１５μｍの銀フィルムから構成され、その表面を僅かに塩化物化処理（０．１ｍＡｈ／ｃｍ２相当の塩化銀量）し、両電極の塩化物化処理された表面はラット皮膚膜に接する側に配置された。
【００６４】
銀フィルムは５ｍＡ／ｃｍ２の直流電流を流すことで電気化学的に塩化物化処理し、一方、絶縁粘着プラスチックフィルムにより保護された面の一方にある各銀フィルムは、０．１Ｎの塩酸浴に浸し、同じ塩酸浴に浸したグラファイト電極に関して陽極を構成した。銀フィルム上に所望量の塩化銀を形成させるため、電流量を回路内に直列に設置した積分電流計を用いてモニタ−した。
【００６５】
試験１ａ−１ｄでは、各セルのドナーとレシーバーコンパートメントには、リン酸一水素ナトリウムとリン酸二水素ナトリウムからなる０．０６モル緩衝液組成物が等モル量入っており、該コンパートメントのｐＨは約７に保たれている。試験１ｅでは緩衝液は使用していない。試験１ｄと１ｅでは、電極間に発生した平均電流密度は約０．２０ｍＡ／ｃｍ２であった。
【００６６】
各試験について、媒質１ｍｌ中の平均抗Ｘａ因子活性を、４つのセルのレシーバーコンパートメントから得たアリコートより求め、この活性を通電６時間後ならびに各実験開始２４時間後、即ち上記電流の通電を停止してから１８時間後のコンパートメント内に拡散したペンタサッカライド量とした。
【００６７】
レシーバーコンパートメントのペンタサッカライドのアッセイは、その抗Ｘａ因子活性の調査に基づいた。アッセイはレシーバーコンパートメントから得た媒質サンプルに直接、あるいは希釈した後に、ＳＴＡＧＯ社より供給されたＲＯＴＡＣＨＲＯＭ  ＨＥＰＡＲＩＮ  ８（登録商標）アッセイキットとアッセイ装置用の追加緩衝液、そしてウシ抗トロンビンＩＩＩを用い、ＨＩＴＡＣＨＩ７１７アッセイ装置にて行った。抗Ｘａ因子活性を１３単位／ｍｌに調製された「ゴ−ルドスタンダ−ド」ペンタサッカライド溶液を用いてキャリブレ−ションカ−ブを作成した。
【００６８】
得られた結果を表１に示す。
【００６９】
【表１】
2006341107.tif 000005
【００７０】
抗Ｘａ因子活性のレベルはレシーバーコンパートメント中のペンタサッカライド濃度を反映することから、表１より、グラファイトやチタンの様な不可逆的電極を使用した場合はイオントフォレーゼによりレシーバーコンパートメント中に拡散したペンタサッカライドの量が極めて少なくかつ受動的移動量に近似しており、一方、Ａｇ／ＡｇＣｌ陰電極（可逆的電極）を使用した場合には、緩衝液存在下においてさえ上記の量は非常に大きく増加した。チタンやグラファイトの様な非消費型電極と異なり、これらの可逆的電極では水の加水分解を回避することができ、従って処理中の陰電極ならびに陽電極に於ける大きなｐＨ変動も回避することができる。従って、ドナーコンパートメント内の緩衝作用を有する物質を存在させる必要がなくなり、可逆的電極の別の優位な特徴となっている。計測試験１ｅに見られる様に、緩衝液が無い状態で得られるイオントフォレーゼ下の経皮流量は、他の全ての試験と比べてより大きな増加を示した（１３７μｇ／ｃｍ２／ｍＡｈ）。
【実施例２】
【００７１】
指定強度でのイオントフォレーゼによるナトリウムペンタサッカライド塩の経皮的通過に関する研究
研究は実施例１の方法で行ったが、以下の点に改良を加えた。
【００７２】
・各セルの強度を一定に設定したイオントフォレーゼを実施
・パルス型電流に換えて直流を使用
・試験２ｄではドナーならびにバック電極コンパートメントに水を加水分解しないＡｇ／ＡｇＣｌ型の電極を装備したため、両コンパートメントについては緩衝液を使用しなかった。
【００７３】
作業は、各セル端末間に生じる電圧に関係なく一定強度になるようにセット可能な発電器を使用して、４つのイオントフォレーゼセルの各々の電極について０．４ｍＡ、即ち０．２ｍＡ／ｃｍ２の定直流電流を設定して６時間実施した。
【００７４】
発電器により生じた０．４ｍＡの定強度直流電流を、各セルのドナーコンパートメントを該発電器の陰電極に接続し、さらにバック電極を陽極に接続して６時間通電した。
【００７５】
試験２ａから２ｄのそれぞれについては、レシーバー媒質１ｍｌ当たりの平均の抗Ｘａ因子活性を、レシーバーコンパートメントから採取したアリコートで測定し、この活性値を上記通電６時間後ならびに各実験開始２４時間後、即ち該通電停止１８時間後の、レシーバーコンパートメント内に拡散したペンタサッカライドの量とした。
【００７６】
得られた結果を表２にまとめた。
【００７７】
【表２】
2006341107.tif 000006
【００７８】
各試験の総拡散量をμｇ／ｃｍ２で表すと、４．６４（試験２ａ）、４５（試験２ｂ）、３８（試験２ｃ）および１８５（試験２ｄ）、即ちＡｇ／ＡｇＣｌ電極に関し１５４μ／ｃｍ２／ｍＡｈである。
【００７９】
前に定電圧下に実施した試験と比較して、グラファイトやチタン電極でのイオントフォレーゼによる拡散は受動的拡散に比べより有意な差となったが、塩化銀電極の性能は極めて優れた状態を維持していた。
【実施例３】
【００８０】
設定電流密度でのイオントフォレーゼによるペンタサッカライドナトリウム塩のミニブタへの投与
専門家は、イオントフォレーゼによる医薬品のヒトへの投与を研究する上でミニブタのＹＵＣＡＴＡＮ種は優れた動物モデルであると考えている。それは、この動物の皮膚の構造がヒトの皮膚の構造に極めて良く似ているからである。
【００８１】
前述実施例で使用したペンタサッカライドのナトリウム塩のイオントフォレーゼによる投与と、該物質の皮下注射あるいは静脈注射による投与とを比較することを目的に、上記ミニブタに対し以下の試験を行った。
【００８２】
これらの試験用に粘着電極セットを幾組か作成し、各組は投与するペンタサッカライドを保持する第一貯留部品に接触する可逆的陰電極（活性電極）から構成されるドナー電極組立体と無関係電解質を保持する第二貯留部品（容器部品）に接触した陽電極（バック電極）により構成される受動電極組立体を有した。
【００８３】
各電極組立体は、これに限定されるものではないが、図中に概要を示した構造に近似した構造を有していた。
【００８４】
図にあるように、各電極組立体は軸方向にシリンダー型をした凹部２を有するポリエチレンフォ−ムでできたディスク１を含んでおり、該ディスクは粘着面３と非粘着面４を有し、両面はそれぞれ２ｃｍ幅の環形状を有している。ディスクの凹端部５は非粘着面側に位置し、塩化物化処理された銀ディスクのフォ−ム中に位置する電極６によって仕切られており、該ディスクの断面積は２０ｃｍ２である。電極ディスクの塩化物化処理面７は凹部の内側に向いている。該ディスクの非塩化物化処理面は、電気伝導的接着法により該表面に結合されたプシュボタン型のコンタクトコネクタ−８を有し、ディスク１と同軸を成すしコンタクトコネクタ−８へのアクセスを可能せしめる同軸の凹部１０を有するポリエチレンフォ−ムでできた支持ディスク９に圧着されている。該サポ−トディスクは、電極６とディスク１の中間の直径を有し、ディスク１の非粘着面の上に結合している。ディスク１内にある凹部２は貯留部品を形成する導電性ヒドロゲル１１で満たされている。ディスク１の粘着面３は皮膚装着用の感圧接着剤で被覆され、貯留部品１１に隣接する該表面３と表面１２は最初は取り外し可能な非接着性ポリエステル保護フィルムで覆われており、該フィルムは皮膚に適用する前に取り去る。
【００８５】
ドナー電極組立体において、塩化銀陰電極（活性電極）は１．８ｍＡｈ／ｃｍ２相当の塩化銀を含んでおり、これによってイオントフォレーゼ処理中、電極を通る電流を一定に、即ち１．２ｍＡｈ／ｃｍ２に、維持することができた。陰電極に付属する貯留部品は、キサンタンと３％の乾燥抽出物を含むキャロブ抽出物をベースとし、２重量％の前述の化学式（Ｉ）のペンタサッカライドのナトリウム塩を含むヒドロゲルにより、２ｍｍの厚さ、すなわち電極２０ｃｍ２当たり４ｇの量で満たされていた。従って、処置を受ける動物１匹について、ドナー電極組立体としては４ｍｇ／ｃｍ２の割合で８０ｍｇのペンタサッカライドを含んだ。
【００８６】
受動電極組立体では、塩化物化した銀から成る陽電極（バック電極）が０．１ｍＡｈ／ｃｍ２に相当する塩化銀量を含み、該電極に付属する貯留部品は、ペンタサッカライドを含まず、その代わりに４重量％のＮａＣｌを含む点だけ異なる、ドナー電極組立体内に存在するのと同様のヒドロゲルから構成された。
【００８７】
各電極組立体対の電極に接続可能な電気信号発生器により、該電極の間に、強度を調製された、周波数２５ｋＨｚ、衝撃係数５０％のパルス型電気信号を送ることが可能となった。
【００８８】
各試験の５日前に、動物に薬物投与の実験では公知である２つの頚部へのカテ−テル留置を行い、抗Ｘａ因子活性を測定し、それによって皮膚を通して循環系に入った活性体の量を調べ、イオントフォレーゼ処置の有効性を確認するための定期採血ができる様にした。
【００８９】
実験１日前より絶食させた動物を特製ハンモックに置いた。取り外し可能保護フィルムを前もって取り除いた電極組立体の１組を、前もって湿らせたティシュで清浄化した動物の背の脊椎の左右いずれかに固定し、さらに本目的用の接触コネクタ−のために設計されたクリップに合致するケ−ブルを用いて、ドナー電極組立体の陰電極を発電器の陰極に、そして受動電極組立体のバック電極は該発電器の陽極に接続した。
【００９０】
発電器を用いて、動物に固定した電極組立体の各対の陽電極と陰電極の間の電流を、６時間の間４．８ｍＡ（すなわち、０．２０ｍＡ／ｃｍ２の電流密度）に設定し、各実験開始後３０時間、すなわちイオントフォレーゼ処置終了２５時間後まで、Ｈ  ＳＴＡＧＯ（登録商標）ダイチュ−ブを用いて定期的に各種血液サンプルを得た。イオントフォレーゼ試験は平均体重１１．４ｋｇの５匹の雄のミニブタを用いて実施した。
【００９１】
イオントフォレーゼによる活性成分の投与実験に加えて、前述（試験３ｂ）同様の手段で、比較試験３ａ、３ｃ、ならびに３ｄも以下の通り実施し、各試験はイオントフォレーゼ投与の例の同様に２匹から４匹のミニブタを用いて実施した：
試験３ａ：電流を流さない状態でイオントフォレーゼ試験３ｂ同様に電極組立体を装着する。
【００９２】
試験３ｃ：ペンタサッカライド０．２４０ｍｇ／ｋｇの注射液の丸薬静脈注射。
【００９３】
試験３ｄ：ペンタサッカライド０．２００ｍｇ／ｋｇの注射液の皮下注射。
【００９４】
これら試験３ａ，３ｃ，３ｄでは、試験３ｂのイオントフォレーゼ処置例と同様に各実験開始後３０時間まで採血を定期的に複数回行った。
【００９５】
本発明（試験３ｂ）と比較試験（試験３ａ、３ｃならびに３ｄ）による試験条件下で、同一活性成分で処置された同一体重、同一種の動物で得られた平均血漿レベルを比較するために、抗Ｘａ因子の「ゴ−ルデンスタンダ−ド」単位で表した各種血液サンプルの血漿レベルを表３に示した。
【００９６】
【表３】
2006341107.tif 000007
【００９７】
表３の結果の比較から、本発明によるイオントフォレーゼ処置により、抗Ｘａ因子活性で表した血漿レベルは、静脈注射あるいは皮下注射処置に於ける血漿レベルに比べ高いことが示された。血漿レベルの上昇は速やかであり、処置の間は一様で、通電中止後緩やかに低下した。
【００９８】
このタイプの活性成分をイオントフォレーゼで投与する場合、特に一日を僅かに越え、且つより低い電流密度で投与する場合、抗Ｘａ因子を用いて表わされる良好な抗血栓作用を有する活性成分の血漿濃度が比較的長時間、血漿濃度のピ−ク形成無しに得ることができる。
【００９９】
様々な処置の期間中の血漿レベルの変化を示すカ−ブ下の面積を比較することで、薬物動態の専門家は、動物体重の関数としてイオントフォレーゼにより実際に投与されたペンタサッカライド量を計算することができる。試験３ｂの場合、該投与量は２０ｃｍ２当たり７±１．３ｍｇ、すなわち１．２ｍＡｈ／ｃｍ２当たり３５０μｇ／ｃｍ２、換言すると１ｍＡｈ／ｃｍ２当たり２９２μｇ／ｃｍ２と見積もられた。
【０１００】
生物学的利用能、つまり電極内に存在する活性成分量に対して標準化した実際に投与された活性成分のレベルはおよそ９％であり、ｉｎ  ｖｉｔｒｏ試験で観察された利用分画よりも高い値であった。
【実施例４】
【０１０１】
直流の方向が定期的逆転するよう電流密度設定したイオントフォレーゼによるペンタサッカライドのナトリウム塩のミニブタへの投与
実施例３と同一の発電器と同一の型の電極を用いて、以下の条件にて４匹のミニブタを対象に以下のイオントフォレーゼ投与試験を行った。
【０１０２】
電極は、実施例３と同一の構造を有し、２０ｃｍ２の活性表面積を持つ。電極自体は１５μｍの厚さの、１ｃｍ２当たり０．５ｍＡｈの塩化銀の割合で電気的酸化により塩化物化処理された銀フィルムから成った。貯留部品も２０ｃｍ２の表面積を持ち、ポリプロピレン繊維を補充したセルロ−ス繊維から成るブロッティングペ−パ−のシ−トから成り、２重量％のペンタサッカライドと０．２重量％のＮａＣｌを含む水溶液で５０ｍｇ／ｃｍ２まで含浸されている。各電極、アノードおよびカソードは全て１ｇの溶液を含んでおり、すなわち２０ｃｍ２の活性表面積について２０ｍｇのペンタサッカライド（１ｍｇ／ｃｍ２）を保有していた。従って、４０ｍｇのペンタサッカライドが全ての動物に投入された。
【０１０３】
発電器により、合計８時間の間３０分おきに電流の方向が定期的に逆転する、２．５ｍＡ、即ち１２５μＡ／ｃｍ２の一定電流が供給された。これは、直流電流の１ｍＡ／ｃｍ２の通過に相当する。
【０１０４】
電極はそれぞれ同一の構造と組成を有し、陽極及び陰極として交互に機能した。また各貯留器には塩化ナトリウムが存在しているため、可逆的電極として永続使用でき、活性成分の加水分解（ｐＨの変化を伴う）反応、あるいは酸化／還元反応を回避することができる。
【０１０５】
試験４ａでは、平均体重１１．８ｋｇの動物３匹を使用し、電極は装着するが発電器には接続せず、試験４ｂでは平均体重１２．３ｋｇの４匹の動物全てに、８時間にわたり、電流方向が３０分毎に自動的に逆転する２．５ｍＡの電流を流した。
【０１０６】
試験４ａと４ｂでは、実施例３と同様に、各実験開始後３０時間まで定期的に血液サンプルを採取した。
【０１０７】
各種サンプルの血漿レベルを、試験４ａと４ｂを相互に比較し、また実施例３の結果、特に静脈内注射および皮下注射例である３ｃならびに３ｄと比較することを目的に表４に示した。
【０１０８】
薬物動態の専門家によると、試験４ｂの時間に伴う血漿レベル変化を示す曲線下の面積と、試験３ｃならびに３ｄの同様の面積を比較することで、処置の間に投与されたペンタサッカライドの平均量を極めて正確に評価することができる。受動試験４ａの場合に、その量は０であり、試験４ｂでは８．４５±１．５ｍｇペンタサッカライドであった。
【０１０９】
【表４】
2006341107.tif 000008
【０１１０】
８０ｍｇのペンタサッカライドが入った前試験との比較では、より良好な生物学的利用能が観察された。すなわち、試験３ｂがおよそ９％であったのに対し試験４ｂでは約２１％であった。ｍＡｈ当たりの投与ペンタサッカライド量が試験３ｂでは２９２μｇ／ｃｍ２であったのに対し、試験４ｂでは３７２μｇ／ｃｍ２であることから電気的効率も良好であった。
【０１１１】
この定期的かつ交互に流れを変える電流を用いると、前の相の間に塩化銀の還元によって発生した各貯留器の中の塩素イオンを消費することができ、治療効果イオンと塩素イオンとの競合を減少させ、表面単位当たりの活性成分量を減少させることができる。更に、可逆的電極の使用が、カソードコンパートメントとアノードコンパートメント中に交互に存在する活性成分に作用する酸化／還元反応の阻止に有用であることも示されている。
【０１１２】
現在イオントフォレーゼ装置は小型化され、毎日の生活の為に持ち運ぶことが可能となっていることから、本発明に基づくイオントフォレーゼの実施は、上記の型のペンタサッカライド、ならびにより一般的に類縁体、もしくは近縁の陰イオンオリゴサッカライド類のデリバリ−の為の、特に興味深いガレノス式方法を形成する。
【図面の簡単な説明】
【０１１３】
【図１】図１は、自給式携帯型イオントフォセーゼ装置を示す概略図であり、図中、１はディスク、２は凹部、３は粘着面、４は非粘着面、５は凹端部、６は電極、７は塩化物化処理面、８はコネクター、９は支持ディスク、１１は導電性ヒドロゲルである。
【図１】
2006341107.tif 000010